(57)【要約】【課題】  ミキサのある入力チャンネルからメインスピーカ用の出力チャンネルにポストフェードの音声信号を出力し、舞台上の出演者用モニタスピーカの出力チャンネルにプリフェードの音声信号を出力する際、出演者の咳払い等の雑音が該モニタスピーカを介して客席に放音されることを防止する。【解決手段】  プリフェードに設定された出力チャンネルに対するセンドレベルを、フェーダゲインＦＬに応じて変更するようにした。フェーダゲインＦＬの設定可能な範囲のうち音量の微調整のために使用される範囲の最低値を閾値ＴＬとして設定する。ＦＬ≦ＴＬであれば、フェーダゲインＦＬに応じてセンドレベルＡＳＬを低下させ、ＦＬ＞ＴＬであればセンドレベルＡＳＬを一定値（ＶＳＬ）に設定する。【選択図】  図８
2006211174.tif 000002
【特許請求の範囲】
【請求項１】
音声信号に付与されるフェーダゲインを調節する音量設定操作子と、
前記音量設定操作子によって音量調節される前のプリフェード信号および前記フェーダによって音量調節された後のポストフェード信号のうち一方を出力信号として選択する選択手段と、
該選択手段によって選択された音声信号のゲインとして第１のセンドレベルを指定するセンドレベル指定手段と、
閾値を設定する閾値設定手段と、
前記選択手段によって前記プリフェード信号が選択され前記フェーダゲインが前記閾値以下である場合は前記第１のセンドレベル以下の値であって前記フェーダゲインが小となるほど小となる値を第２のセンドレベルとする一方、前記選択手段によって前記ポストフェード信号が選択された場合または前記フェーダゲインが前記閾値を超える場合には前記第１のセンドレベルを前記第２のセンドレベルとし、この第２のセンドレベルによって前記出力信号を増幅または減衰するセンドレベル付与手段と
を有することを特徴とする音量調節装置。
【請求項２】
各々が複数の音声信号をミキシングする複数のミキシングバスと、
複数の入力チャンネルの音声信号に対して音量または音質調整を施すとともに、前記複数のミキシングバスのうち任意のものに対して音声信号を出力する複数の入力チャンネル調整部と、
前記複数のミキシングバスによってミキシングされた音声信号に対して音量または音質調整を施す出力チャンネル部と
を有し、
前記音量設定操作子は前記複数の入力チャンネル調整部毎に設けられ、前記選択手段、前記閾値設定手段、前記センドレベル指定手段および前記センドレベル付与手段は前記複数の入力チャンネル調整部の各々において前記各ミキシングバス毎に設けられ、
前記各センドレベル付与手段は、前記各入力チャンネルの増幅または減衰された前記各出力信号を対応するミキシングバスに出力するものである
ことを特徴とする請求項１記載の音量調節装置。
【請求項３】
音声信号に付与されるフェーダゲインを調節する音量設定操作子と、前記音量設定操作子によって音量調節される前のプリフェード信号および前記フェーダによって音量調節された後のポストフェード信号のうち一方を出力信号として選択する選択手段と、該選択手段によって選択された音声信号のゲインとして第１のセンドレベルを指定するセンドレベル指定手段と、閾値を設定する閾値設定手段と、第２のセンドレベルによって前記出力信号を増幅または減衰するセンドレベル付与手段と、前記第２のセンドレベルを決定する処理装置とを有する音量調節装置において実行されるプログラムであって、
前記選択手段によって前記プリフェード信号が選択されているか否かを判定する第１の判定過程と、
前記フェーダゲインが前記閾値以下であるか否かを判定する第２の判定過程と、
前記第１および第２の判定過程における判定結果が共に肯定的であった場合に、前記第１のセンドレベル以下の値であって前記フェーダゲインが小となるほど小となる値を前記第２のセンドレベルとして設定する第１の設定過程と、
前記第１および第２の判定過程における判定結果のうち少なくとも一方が否定的であった場合に、前記第１のセンドレベルを前記第２のセンドレベルとして設定する第２の設定過程と、
を前記処理装置に実行させることを特徴とするプログラム。
【発明の詳細な説明】
【技術分野】
【０００１】
本発明は、コンサートホール等に設置するミキサに用いて好適な音量調節装置およびプログラムに関する。
【背景技術】
【０００２】
一般的に、コンサートホール等に設置されるミキサにおいては、入力チャンネル調整部に設けられた複数のフェーダによって、各入力チャンネルのゲインが設定される。次に、各入力チャンネルの音声信号は出力バスにおいて混合された後、各出力バスに対応する出力チャンネル調整部を介して外部に出力され、アンプ、スピーカを介して放音される。ここで、例えば非特許文献１に記載されたデジタルミキサにおいては、各入力チャンネルから各出力バスに音声信号を供給するにあたっては、「プリフェードモード」または「ポストフェードモード」のうち何れかのフェードモードを各入力チャンネル毎に、かつ各出力バス毎に設定することができる。
【０００３】
ここで、ポストフェードモードとはフェーダによって音量調節された音声信号を対応する出力バスに供給するモードであり、プリフェードモードとは、フェーダによって音量調節される前の音声信号を対応する出力バスに供給するモードである。ポストフェードモードは、主として客席に放音される音声信号に係る出力バスに適用される。一方、ポストフェードモードは、主として個々の出演者のモニタ用の出力バスに適用される。これは、出演者のモニタ用として放音される音声信号は、操作者によるフェーダの操作状態にかかわらず常に一定のゲインで放音することが望ましいからである。
【０００４】
なお、客席用の音声信号は、主として舞台両脇に設置された大型のメインスピーカから放音され、出演者のモニタ用の音声信号は、舞台上に出演者毎に載置された小型のモニタスピーカから放音される。プログラムの進行中においては、メインスピーカから放音された音声は会場内の各部で反射された後に出演者にも達するから、モニタスピーカの音量はこれに充分対抗できる程度に設定しなければならない。
【０００５】
【非特許文献１】「ＣＳ１Ｄ  CONTROL SURFACE 取扱説明書」ヤマハ株式会社, 平成１２年１２月
【発明の開示】
【発明が解決しようとする課題】
【０００６】
ところで、デジタルミキサの操作者は、ある入力チャンネルの音声信号、例えば出演者から収音した音声信号を客席に放音すべきでない状況においては、対応するフェーダを絞ることにより、当該音声信号がメインスピーカから放音されることを防止できる。しかし、当該入力チャンネルとモニタスピーカ用の出力バスとに対してプリフェードモードが設定されていると、当該出演者の咳払い等の雑音がモニタスピーカを介して放音される。このモニタスピーカから放音された音声は、特にメインスピーカから放音されている音声レベルが低い場合においては、観客にとって非常に耳障りなものである。
【０００７】
かかる雑音の発生を防止するためには、上記モニタスピーカに係る出力チャンネルをオフ状態に設定するとよい。しかし、上述したように当該出演者の音声をメインスピーカから放音する際にはモニタスピーカの出力チャンネルをオン状態にする必要がある。従って、操作者は、舞台状況に応じて出力チャンネルのオン／オフ状態を頻繁に切り換えなければならず、操作がきわめて煩雑であった。
この発明は上述した事情に鑑みてなされたものであり、きわめて簡単な操作で雑音の放音を防止できる音量調節装置およびプログラムを提供することを目的としている。
【課題を解決するための手段】
【０００８】
上記課題を解決するため本発明にあっては、下記構成を具備することを特徴とする。なお、括弧内は例示である。
請求項１記載の音量調節装置にあっては、音声信号に付与されるフェーダゲインを調節する音量設定操作子（２４２−１）と、前記音量設定操作子によって音量調節される前のプリフェード信号および前記フェーダによって音量調節された後のポストフェード信号のうち一方を出力信号として選択する選択手段（３１０−１〜３１０−１２，１６２−１〜１６２−１２）と、該選択手段によって選択された音声信号のゲインとして第１のセンドレベル（ＶＳＬ）を指定するセンドレベル指定手段（３１０−１〜３１０−１２）と、閾値（ＴＬ）を設定する閾値設定手段（３２４−１〜３２４−１２）と、前記選択手段によって前記プリフェード信号が選択され前記フェーダゲインが前記閾値（ＴＬ）以下である場合は前記第１のセンドレベル以下の値であって前記フェーダゲインが小となるほど小となる値を第２のセンドレベル（ＡＳＬ）とする一方、前記選択手段によって前記ポストフェード信号が選択された場合または前記フェーダゲインが前記閾値を超える場合には前記第１のセンドレベルを前記第２のセンドレベルとし、この第２のセンドレベルによって前記出力信号を増幅または減衰するセンドレベル付与手段（１６４−１〜１６４−１２）とを有することを特徴とする。
さらに、請求項２記載の構成にあっては、請求項１記載の音量調節装置において、各々が複数の音声信号をミキシングする複数のミキシングバス（１１６）と、複数の入力チャンネルの音声信号に対して音量または音質調整を施すとともに、前記複数のミキシングバス（１１６）のうち任意のものに対して音声信号を出力する複数の入力チャンネル調整部（１１２−ｎ）と、前記複数のミキシングバス（１１６）によってミキシングされた音声信号に対して音量または音質調整を施す出力チャンネル部（１２２−ｍ）とを有し、前記音量設定操作子は前記複数の入力チャンネル調整部（１１２−ｎ）毎に設けられ、前記選択手段、前記閾値設定手段、前記センドレベル指定手段および前記センドレベル付与手段は前記複数の入力チャンネル調整部（１１２−ｎ）の各々において前記各ミキシングバス（１１６）毎に設けられ、前記各センドレベル付与手段は、前記各入力チャンネルの増幅または減衰された前記各出力信号を対応するミキシングバス（１１６）に出力するものであることを特徴とする。
また、請求項３記載のプログラムにあっては、音声信号に付与されるフェーダゲインを調節する音量設定操作子（２４２−１）と、前記音量設定操作子によって音量調節される前のプリフェード信号および前記フェーダによって音量調節された後のポストフェード信号のうち一方を出力信号として選択する選択手段（３０６−１〜３０６−１２，１６２−１〜１６２−１２）と、該選択手段によって選択された音声信号のゲインとして第１のセンドレベル（ＶＳＬ）を指定するセンドレベル指定手段（３０６−１〜３０６−１２）と、閾値（ＴＬ）を設定する閾値設定手段（３２４−１〜３２４−１２）と、第２のセンドレベル（ＡＳＬ）によって前記出力信号を増幅または減衰するセンドレベル付与手段（１６４−１〜１６４−１２）と、前記第２のセンドレベル（ＡＳＬ）を決定する処理装置（１８）とを有する音量調節装置において実行されるプログラムであって、前記選択手段によって前記プリフェード信号が選択されているか否かを判定する第１の判定過程（ＳＰ６）と、前記フェーダゲインが前記閾値（ＴＬ）以下であるか否かを判定する第２の判定過程（ＳＰ１０）と、前記第１および第２の判定過程における判定結果が共に肯定的であった場合に、前記第１のセンドレベル以下の値であって前記フェーダゲインが小となるほど小となる値を前記第２のセンドレベルとして設定する第１の設定過程（ＳＰ１４）と、前記第１および第２の判定過程における判定結果のうち少なくとも一方が否定的であった場合に、前記第１のセンドレベルを前記第２のセンドレベルとして設定する第２の設定過程（ＳＰ１２）と、を前記処理装置（１８）に実行させることを特徴とする。
【発明の効果】
【０００９】
このように、本発明によれば、選択手段によってプリフェード信号が選択されフェーダゲインが閾値以下である場合は第１のセンドレベル以下の値であってフェーダゲインが小となるほど小となる値を第２のセンドレベルとして設定するから、音量設定操作子によって音量の微調整を行っている状態では第２のセンドレベルを一定値（第１のセンドレベル）に設定できるとともに、音量設定操作子によって音声信号をフェードアウトさせる場合には第２のセンドレベルを下げることができる。これにより、音量設定操作子を操作するという簡単な操作のみによって第２のセンドレベルを絞ることができ、雑音が放音されることを防止することができる。
【発明を実施するための最良の形態】
【００１０】
1．実施例の概要
一般的に、ミキサを操作する場合には、操作者はフェーダの「基準レベル」を決定し、この基準レベルの前後で各フェーダを操作することが一般的である。例えば、「＋１０ｄＢ〜−∞ｄＢ」の範囲でフェーダゲインを調節可能なフェーダであれば、多くの場合に「０ｄＢ」が基準レベルとして選択される。このように基準レベルを決定しておくと、ある入力チャンネルの音声信号をフェードインするとき、とりあえず基準レベルまでフェーダを動かすと、ほぼ適切な音量でこの音声信号を放音させることができる。その後、操作者が、その入力チャンネルの音量や会場全体の音場の状態等に応じて、フェーダを基準レベルの前後で微調節すると、該入力チャンネルに対して最適なフェーダゲインを設定することができる。なお、以下の説明において、特に断りが無い場合は、フェーダゲインは全てデシベル（ｄＢ）を単位として表記する。
【００１１】
ここで、ある入力チャンネルについて、このような微調節によって変動するフェーダゲインの範囲が「＋５ｄＢ〜−２０ｄＢ」であったと仮定する。すると、操作者がこのフェーダを操作して「−２０ｄＢ」以下のフェーダゲインを設定した場合には、かかる操作は微調節を行うためのものではなく、当該入力チャンネルをフェードアウトするための操作であると考えることができる。上述したように、舞台上の出演者の音声が割り当てられた入力チャンネルと、この出演者のモニタスピーカとに対応するフェードモードは、フェーダの操作量にかかわらず一定のゲインを確保するために、一般的にはプリフェードモードが選択される。しかし、当該入力チャンネルをフェードアウトさせるのであれば、フェーダの操作に応じてモニタスピーカの音量を下げても差し支えない。
【００１２】
そこで、本実施例では、フェーダの操作量がある閾値（上記例では「−２０ｄＢ」）以下になった場合は、たとえプリフェードモードが選択されている場合であってもフェーダの操作量に応じて、モニタスピーカから放音される音声のゲインを下げることにした。具体的には、対応する入力チャンネルから対応するＭＩＸ出力チャンネルに供給される音声信号のゲイン（センドレベル）をフェーダの操作量に応じて低下させるのである。この機能を「オートセンドディマー」と呼ぶ。オートセンドディマーによって、モニタスピーカから放音される音声が遮断されると、出演者の発する雑音が増幅されてモニタスピーカから出力されるような事態を未然に防止することができる。
【００１３】
2．実施例の構成
2．1．ハードウエア構成
次に、本発明の一実施例のデジタルミキサ１のハードウエア構成を図１を参照し説明する。
図において４は電動フェーダ群であり、操作者の操作に基づいて各入出力チャンネルの信号レベルを調節する。さらに、電動フェーダ群４は、バスライン１２を介して操作コマンドが供給されると、その操作位置が自動設定されるように構成されている。なお、詳細は後述するが、電動フェーダ群４は、複数の電動フェーダ電動フェーダ２４２−１，２４２−２，２４２−３，……（図２参照）から構成されている。
【００１４】
２はスイッチ群であり、各種のスイッチおよびＬＥＤキーから構成され、ＬＥＤキーに内蔵されたＬＥＤの点滅状態はバスライン１２を介して設定される。６は回転つまみ群であり、各入出力チャンネルの左右の音量バランスを設定する回転つまみ２５０−１，２５０−２，２５０−３，……(図２参照)等から構成されている。そして、これら回転つまみの操作量はバスライン１２を介して出力される。８は波形Ｉ／Ｏ部であり、アナログ音声信号またはデジタル音声信号を入出力する。本実施例においては、各種音声信号のミキシング処理・効果処理等は全てデジタル処理により実行される。しかし、外部から入力される音声信号および外部に出力すべき音声信号はデジタル、アナログ信号の双方が考えられる。このため、波形Ｉ／Ｏ部８においては、アナログ信号とデジタル信号間の変換、複数種類のデジタル信号相互間の変換等の処理が行われる。
【００１５】
次に、１０は信号処理部であり、一群のＤＳＰ（デジタル・シグナル・プロセッサ）によって構成されている。信号処理部１０は、波形Ｉ／Ｏ部８を介して供給されたデジタル音声信号に対してミキシング処理や効果処理を施し、その結果を波形Ｉ／Ｏ部８に出力する。１４は大型表示器であり、例えば「１０２４×７６８」程度の解像度を有するフラットパネルディスプレイによって構成されている。１５は入力装置であり、キーボードおよびマウスから構成され、大型表示器１４上のカーソル移動や該大型表示器１４に表示されたボタンのオンオフ操作等を行う。１６はその他Ｉ／Ｏ部であり、各種の外部機器との間でタイムコードその他の情報を入出力する。１８はＣＰＵであり、後述する制御プログラムに基づいて、バスライン１２を介して各部を制御する。２０はフラッシュメモリであり、その内部のプログラム領域には上記制御プログラムが記憶されている。２２はＲＡＭであり、ＣＰＵ１８のワークメモリとして使用される。
【００１６】
本実施例のミキシングシステムにおいては、当該システムの現在の動作を制御する各種パラメータ（カレントデータ）がＲＡＭ２２の所定領域（カレント領域）に記憶されている。すなわち、スイッチ群２、電動フェーダ群４、回転つまみ群６、入力装置１５を操作することによりカレントデータの内容が更新され、また、該カレントデータに基づいて信号処理部１０におけるミキシング処理や効果処理、大型表示器１４における表示状態、スイッチ群２のＬＥＤの点滅状態、電動フェーダ群４の各フェーダの位置などが制御される。
【００１７】
2．2．実施例のミキシングアルゴリズム構成
次に、信号処理部１０等において実現されるアルゴリズムの内容を図３を参照し説明する。
図において１０２はアナログ入力部であり、マイクレベルまたはラインレベルのアナログ音声信号を受信すると、これをデジタル音声信号に変換し、信号処理部１０に供給する。１０４はデジタル入力部であり、デジタル音声信号を受信すると、これを信号処理部１０内部のフォーマットに変換する。１２８はアナログ出力部であり、信号処理部１０から供給されたデジタル音声信号をアナログ音声信号に変換し外部に出力する。１３０はデジタル出力部であり、信号処理部１０から供給された内部フォーマットのデジタル音声信号を所定フォーマット（ＡＥＳ／ＥＢＵ，ＡＤＡＴ，ＴＡＳＣＡＭ等）のデジタル音声信号に変換し出力する。
【００１８】
以上述べた構成は、信号処理部１０とは別体のハードウエアである波形Ｉ／Ｏ部８およびここに介挿される各種カードにより実現されているが、上記以外の構成は信号処理部１０において動作するプログラムによって実現されている。１１２は入力チャンネル調整部であり、操作パネルの電動フェーダおよび操作子の操作に基づいて、最大「２４」チャンネルの入力チャンネルに対して音量・音質等の調整を行う。１１０はステレオ入力チャンネル調整部であり、最大４チャンネルのステレオ入力チャンネルに対して音量・音質等の調整を行う。なお、「１」系統のステレオの音声信号は左右「２」系統の音声信号から構成されていることとする。１０８は入力パッチ部であり、入力部１０２，１０４等の複数の入力ポートから供給されたデジタル音声信号を、ステレオ入力チャンネル調整部１１０、入力チャンネル調整部１１２の任意の入力チャンネルに割り当てる。
【００１９】
１１６はＭＩＸバス群であり、「１２」系統のＭＩＸバスから構成されている。各ＭＩＸバスにおいては、各入力チャンネルおよび各ステレオ入力チャンネル（以下、「入力チャンネル等」という）のデジタル音声信号のうち当該ＭＩＸバスに供給されたものがミキシングされる。各入力チャンネル等においては、音声信号をＭＩＸバスに供給するか否かを各ＭＩＸバス毎に設定することができ、供給する場合には各ＭＩＸバスに対するセンドレベルやフェードモード（プリフェード／ポストフェード）等もＭＩＸバス毎に独立して設定することができる。１１８はステレオバスであり、「１」系統のステレオバスから構成されている。ステレオバスの構成は上記ＭＩＸバスと同様である。
【００２０】
１２０はステレオ出力チャンネル部であり、該ステレオバスにおけるミキシング結果のレベル調節および音質調節を行なう。１２２はＭＩＸ出力チャンネル部であり、上記各ＭＩＸバスにおけるミキシング結果のレベル調節および音質調節を行なう。１２６は出力パッチ部であり、ステレオ出力チャンネル部１２０およびＭＩＸ出力チャンネル部１２２の出力信号を、各出力部１２８，１３０の任意のチャンネルに割り当てる。上述したステレオバスおよびＭＩＸバスの使用方法は任意であるが、一般的にステレオバスはメインスピーカ用に用いられ、ＭＩＸバスはモニタ用、レコーディング用等、様々な用途に用いられる。そこで、本実施例においては、ＭＩＸバスに対してのみオートセンドディマーを適用可能にしている。
【００２１】
次に、入力チャンネル調整部１１２、ステレオ出力チャンネル部１２０およびＭＩＸ出力チャンネル部１２２におけるアルゴリズム構成の詳細を図４を参照し説明する。図において１１２−ｎは第ｎ入力チャンネル調整部であり、第ｎ入力チャンネル（１≦ｎ≦２４）における音質・音量調整を行う。また、１２２−ｍは第ｍＭＩＸ出力チャンネル部であり、第ｍＭＩＸ出力チャンネル（１≦ｍ≦１２）における音質・音量調整を行う。第ｎ入力チャンネル調整部１１２−ｎの内部において１５０は音質調整部であり、第ｎ入力チャンネルにおけるリミッタ処理、コンプレッサ処理、イコライザ処理等を行う。１５２はチャンネル遅延部であり、必要に応じて第ｎ入力チャンネルの音声信号を遅延させる。１５４は音量調整部であり、第ｎ入力チャンネルの音声信号のゲインを調節する。１５６はオンオフ切換部であり、第ｎ入力チャンネル全体のオンオフを切り換える。
【００２２】
１６２−１〜１６２−１２は信号切換部であり、第ｎ入力チャンネルから「１２」系統のＭＩＸバスに各々出力され得る音声信号をフェードモードに応じて切り換える。すなわち、フェードモードが「プリフェード」に設定されると、チャンネル遅延部１５２の出力信号が選択され、「ポストフェード」に設定されるとオンオフ切換部１５６の出力信号が選択される。１６４−１〜１６４−１２はセンドレベル調節部であり、各ＭＩＸバスに出力する信号のゲインすなわちセンドレベルを調節する。１６６−１〜１６６−１２はセンドオンオフ切換部であり、各ＭＩＸバスに対する音声信号供給のオン／オフ状態を設定する。１５８はステレオセンドオンオフ切換部であり、第ｎ入力チャンネルの音声信号をステレオバス１１８に供給するか否かを切り換える。１６０はＰＡＮ設定部であり、該音声信号をステレオバス１１８に供給する際の左右の音量バランスを設定する。
【００２３】
次に、ステレオ出力チャンネル部１２０の内部において１７０は音質調整部であり、ステレオ出力チャンネルにおけるリミッタ処理、コンプレッサ処理、イコライザ処理等を行う。１７２−Ｌ，Ｒは音量調整部であり、ステレオ出力チャンネルの左右の出力ゲインを調節する。１７４−Ｌ，Ｒはオンオフ切換部であり、ステレオ出力チャンネルの左右のオン／オフ状態を切り換える。１７６はチャンネル遅延部であり、ステレオ出力チャンネルの音声信号を必要に応じて遅延する。次に、第ｍＭＩＸ出力チャンネル部１２２−ｍの内部において１８０は音質調整部であり、第ｍＭＩＸ出力チャンネルにおけるリミッタ処理、コンプレッサ処理、イコライザ処理等を行う。１８２は音量調整部であり、第ｍＭＩＸ出力チャンネルの出力ゲインを調節する。１８４はオンオフ切換部であり、第ｍＭＩＸ出力チャンネルのオン／オフ状態を切り換える。１８６はチャンネル遅延部であり、該出力チャンネルの音声信号を必要に応じて遅延する。
【００２４】
2．3．パネル構成
次に、デジタルミキサ１の操作パネルの要部の外観構成を図２を参照し説明する。
上述したように、デジタルミキサ１は「２４」入力チャンネルを有しているが、これら入力チャンネルは「１２」チャンネルづつの「２」レイヤに分割される。また、「１２」ＭＩＸ出力チャンネルは「１」レイヤ（マスタレイヤ）にまとめられている。２０４，２０６，２０８はレイヤ・キーであり、これら何れかのレイヤを択一的に選択する。また、２４０−１，２４０−２，２４０−３，……はチャンネルストリップであり、各チャンネルストリップは選択されたレイヤに属する入出力チャンネルに割り当てられる。但し、ステレオ出力チャンネルに対しては、左右「２」系統のチャンネルストリップが、レイヤの選択状態にかかわらず固定的に割り当てられる。
【００２５】
チャンネルストリップ２４０−１の内部において、２４２−１は電動フェーダであり、対応する入出力チャンネルの音量を調節する。すなわち該チャンネルストリップが入力チャンネルに割当てられているならば、電動フェーダ２４２−１は該入力チャンネルに係る音量調整部１５４(図４参照)のゲインを調節する。２４４−１はオン／オフ・キーであり、対応する入出力チャンネルのオンオフ切換部１５６におけるオン／オフ状態を設定する。２４６−１はソロ・キーであり、対応する入出力チャンネルの音声信号を操作者のモニタ用のソロバス（図示せず）に供給するか否かを切り替える。また、２４８−１はＳＥＬキーであり、チャンネルストリップ２４０−１に係る入出力チャンネルを択一的に「選択状態」に設定する。
【００２６】
ここで「選択状態」とは、音質調整部１５０や信号切換部１６２−１〜１６２−１２等に対する詳細な設定を行うべきチャンネルとして選択された状態の意である。また、２５０−１は回転つまみであり、該チャンネルストリップ２４０−１が入力チャンネルに割当てられている場合には、当該入力チャンネルのＰＡＮ設定部１６０における左右の音量バランスを設定する。そして、他のチャンネルストリップにおいても、チャンネルストリップ２４０−１と同様に、電動フェーダ、オン／オフ・キー、ソロ・キー、ＳＥＬキーおよび回転つまみが各々設けられている。
【００２７】
3．実施例の動作
3．1．設定画面の表示
デジタルミキサにおいて操作者が所定の操作を行うと、図５(a)に示すセンド設定画面３００が表示される。なお、この画面は、ＳＥＬキーによって選択された入力チャンネル（以下、選択入力チャンネルという）の信号切換部１６２−１〜１６２−１２等の状態を設定する画面である。図において３０２はチャンネル表示部であり、選択入力チャンネルの番号を表示する。３０４−１〜３０４−１２はオートセンドディマーモード表示部であり、「１２」系統の各ＭＩＸバスに対するオートセンドディマーのオン／オフ状態を表示する。すなわち、オートセンドディマーがオフ状態に設定されていると対応する表示部が消灯され、オン状態に設定されていると対応する表示部が点灯される。
【００２８】
ところで、上述したようにセンドレベル調節部１６４−１〜１６４−１２において設定されるゲインをセンドレベルというが、本実施例においてはセンドレベルには実センドレベルＡＳＬと仮センドレベルＶＳＬの２種類がある。「実センドレベルＡＳＬ」とはセンドレベル調節部１６４−１〜１６４−１２に実際に設定されるセンドレベルであり、「仮センドレベルＶＳＬ」とは、オートセンドディマーによるゲイン調節が発生していないと仮定した場合の実センドレベルＡＳＬである。
【００２９】
３０６−１〜３０６−１２はセンドレベル設定部であり、選択入力チャンネルから各ＭＩＸバスへの仮センドレベルＶＳＬを設定する。すなわち、操作者がセンドレベル設定部３０６−１〜３０６−１２の何れかをマウスでクリックすると、仮センドレベルＶＳＬを設定するためのポップアップウィンドウがマウスカーソルの箇所に表示される。このポップアップウィンドウにはカーソルが表示され、操作者は該カーソルをマウスでドラッグすることによって仮センドレベルを設定することができる。３０８−１〜３０８−１２はセンドオン／オフボタンであり、センドオンオフ切換部１６６−１〜１６６−１２のオン／オフ状態を切り換える。３１０−１〜３１０−１２はフェードモード切換部であり、選択入力チャンネルと各ＭＩＸバスとに対応するフェードモードＦＭ、すなわち信号切換部１６２−１〜１６２−１２の切換状態を「プリフェード」または「ポストフェード」に設定する。
【００３０】
また、デジタルミキサにおいて操作者が他の所定の操作を行うと、図５(b)に示すオートセンドディマー設定画面３２０が表示される。なお、この画面は選択入力チャンネルと、各ＭＩＸバスとに対するオートセンドディマーの状態を設定する画面である。図において３２２はチャンネル表示部であり、選択入力チャンネルの番号を表示する。３２６−１〜３２６−１２はオートセンドディマー・オン／オフボタンであり、選択入力チャンネルと各ＭＩＸバスとに各々対応するオートセンドディマーモードＡＤのオン／オフ状態を設定する。
【００３１】
３２４−１〜３２４−１２は閾値設定部であり、オートセンドディマーによるゲイン調節が行われる範囲のフェーダゲインの最高値である閾値ＴＬを設定する。すなわち、あるＭＩＸバスに対するオートセンドディマーモードがオン状態であって、フェーダゲインが該閾値ＴＬ以下になると、オートセンドディマーによって、当該ＭＩＸバスに対する実センドレベルＡＳＬが仮センドレベルＶＳＬよりも下げられることになる。なお、閾値設定部３２４−１〜３２４−１２の具体的な操作方法は上記センドレベル設定部３０６−１〜３０６−１２の操作方法と同様である。
【００３２】
また、オートセンドディマー設定画面３２０においては、上記センド設定画面３００においてポストフェードモードに設定されたＭＩＸバスは、閾値設定部およびオートセンドディマー・オン／オフボタンが破線で表示される。これは、オートセンドディマーはそもそも「プリフェードモード」においてのみ機能するものであるため、ポストフェードモードのＭＩＸバスに対してオートセンドディマーの状態を設定しても動作には全く影響が及ばないことを操作者に示すためである。但し、当該ＭＩＸバスのフェードモードを将来プリフェードモードに変更する場合の準備を可能ならしめるため、操作者はポストフェードモードに設定されたＭＩＸバスにおいても、対応する閾値設定部およびオートセンドディマー・オン／オフボタンを操作することができる。
【００３３】
3．2．仮センドレベルＶＳＬ設定イベント
上記センド設定画面３００において、何れかのセンドレベル設定部３０６−１〜３０６−１２が操作されると、図６に示すセンドレベル設定イベントルーチンが起動される。なお、本ルーチンにおいては、選択入力チャンネルのチャンネル番号を「ｉ」とし、操作されたセンドレベル設定部に係るＭＩＸバスの番号を「ｊ」とする。図６において処理がステップＳＰ２に進むと、操作完了後のセンドレベル設定部３０６−ｊの操作量がカレント領域内の仮センドレベル（変数）ＶＳＬ（ｉ，ｊ）に代入される。
【００３４】
次に、処理がステップＳＰ４に進むと、この新たな仮センドレベルＶＳＬ（ｉ，ｊ）の値を反映するように、センドレベル設定部３０６−ｊの表示（目盛位置）が更新される。次に、処理がステップＳＰ６に進むと、第ｉ入力チャンネルと第ｊＭＩＸバスに係るフェードモードＦＭ（ｉ，ｊ）がプリフェードであるか否かが判定される。ここで「ＮＯ」と判定されると、処理はステップＳＰ１２に進み、仮センドレベルＶＳＬ（ｉ，ｊ）がそのまま実センドレベルＡＳＬ（ｉ，ｊ）として適用される。すなわち、ポストフェードモードにおいては、実センドレベルＡＳＬ（ｉ，ｊ）は常に仮センドレベルＶＳＬ（ｉ，ｊ）に等しくなり、第ｉ入力チャンネルのセンドレベル調節部１６４−ｊに対して、この実センドレベルＡＳＬ（ｉ，ｊ）がゲインとして設定されることになる。
【００３５】
一方、ステップＳＰ６において「ＹＥＳ」と判定されると、処理はステップＳＰ８に進み、オートセンドディマーモードＡＤ（ｉ，ｊ）がオン状態であるか否かが判定される。ここで「ＮＯ」と判定されると、処理は上記ステップＳＰ１２に進む。すなわち、オートセンドディマーモードＡＤ（ｉ，ｊ）がオフ状態であれば、実センドレベルＡＳＬ（ｉ，ｊ）は常に仮センドレベルＶＳＬ（ｉ，ｊ）に等しい値に設定される。
【００３６】
また、フェードモードＦＭ（ｉ，ｊ）がプリフェードであってオートセンドディマーモードＡＤ（ｉ，ｊ）がオン状態であれば、処理はステップＳＰ１０に進む。ここでは、第ｉ入力チャンネルのフェーダゲインＦＬ（ｉ）が、第ｉ入力チャンネルおよび第ｊＭＩＸバスに係る閾値ＴＬ（ｉ，ｊ）以下であるか否かが判定される。ここで「ＮＯ」と判定されると、処理はステップＳＰ１２に進み、実センドレベルＡＳＬ（ｉ，ｊ）は仮センドレベルＶＳＬ（ｉ，ｊ）に等しい値に設定される。一方、「ＹＥＳ」と判定されると、処理はステップＳＰ１４に進み、下式（１）によって実センドレベルＡＳＬ（ｉ，ｊ）が計算される。
ＡＳＬ（ｉ，ｊ）＝ＶＳＬ（ｉ，ｊ）＋ＦＬ（ｉ）−ＴＬ（ｉ，ｊ）[ｄＢ]
……式（１）
【００３７】
ここでは、「ＴＬ（ｉ，ｊ）≦ＦＬ（ｉ）」の条件が満たされていることにより、実センドレベルＡＳＬ（ｉ，ｊ）は仮センドレベルＶＳＬ（ｉ，ｊ）以下の値になり、フェーダゲインＦＬ（ｉ）が低下するほど実センドレベルＡＳＬ（ｉ，ｊ）も低下することになる。ここで、フェーダゲインＦＬ（ｉ）と実センドレベルＡＳＬ（ｉ，ｊ）との関係を図８(a)に示す。
【００３８】
3．3．フェーダゲイン設定イベント
また、電動フェーダ２４２−１，２４２−２，２４２−３，……のうち何れかが操作されると、該電動フェーダに何れかの入力チャンネル（チャンネル番号ｉ）が割り当てられている場合には、図７に示すフェーダゲイン設定イベントルーチンが起動される。図において処理がステップＳＰ２２に進むと、該電動フェーダの操作量がフェーダゲインＦＬ（ｉ）としてカレント領域に記憶される。次に、処理がステップＳＰ２６に進むと、第ｉ入力チャンネルの音量調整部１５４に対して、該フェーダゲインＦＬ（ｉ）が設定される。
【００３９】
次に、処理がステップＳＰ２８に進むと、ＭＩＸバス番号を表す変数ｊに「１」が代入される。次に、ステップＳＰ３０〜ＳＰ３８においては、上記センドレベル設定イベントルーチン（図６）のステップＳＰ６〜ＳＰ１４と同様の処理が実行される。すなわち、フェードモードＦＭ（ｉ，ｊ）がプリフェードであり、オートセンドディマーモードＡＤ（ｉ，ｊ）がオン状態であり、フェーダゲインＦＬ（ｉ）が閾値ＴＬ（ｉ，ｊ）以下であれば、上記式（１）に基づいて実センドレベルＡＳＬ（ｉ，ｊ）が計算され、それ以外の場合は実センドレベルＡＳＬに対して仮センドレベルＶＳＬの値が設定されることになる。
【００４０】
次に、処理がステップＳＰ４０に進むと変数ｊが「１」だけインクリメントされる。次に、処理がステップＳＰ４２に進むと、変数ｊが「１２」を超えたか否かが判定される。ここで「ＮＯ」と判定されると、処理はステップＳＰ３０に戻る。以後、「ｊ＝１〜１２」の範囲でステップＳＰ３０〜ＳＰ３８の処理が繰り返されると、第ｉ入力チャンネルから全ＭＩＸバスへの実センドレベルＡＳＬが決定され、該実センドレベルがセンドレベル調節部１６４−１〜１６４−１２に各々設定される。そして、変数ｊが「１３」にインクリメントされた後に処理がステップＳＰ４２に進むと、ここで「ＹＥＳ」と判定され、本ルーチンの処理が終了する。
【００４１】
以上のように本実施例によれば、第ｉ入力チャンネルと第ｊＭＩＸバスとに対して設定されたフェードモードＦＭ（ｉ，ｊ）がプリフェードであり、オートセンドディマーモードＡＤ（ｉ，ｊ）がオン状態で設定されていると、閾値ＴＬ（ｉ，ｊ）がフェーダゲインＦＬ（ｉ）以下であれば、フェーダゲインＦＬ（ｉ）の低下に沿って実センドレベルＡＳＬ（ｉ，ｊ）も低下させることができる。従って、第ｊＭＩＸバスを出演者のモニタスピーカに対応するＭＩＸバスに設定しておくと、電動フェーダを微調節している状態（フェーダゲインＦＬ（ｉ）が閾値ＴＬ（ｉ，ｊ）以上の状態）では電動フェーダの操作状態がモニタスピーカの音量に影響を及ぼすことを防止できる。
【００４２】
一方、該電動フェーダによって第ｉ入力チャンネルをフェードアウトする場合には、フェーダゲインＦＬ（ｉ）が閾値ＴＬ（ｉ，ｊ）以下になった時点から電動フェーダの操作量に応じてモニタスピーカの音量を絞ることができる。これにより、出演者の咳払い等の雑音がモニタスピーカから放音されるような状態を未然に防止することもできる。ここで、プログラムの進行中に操作者が行うべき操作は単に「電動フェーダを下げる」という単純なものである。かかる電動フェーダの操作は、メインスピーカから放音される音声の中から上記出演者の音声をカットする場合には元々必要なものであり、本実施例によれば追加の操作を全く発生させることなくモニタスピーカの音量もフェードアウトさせることができるのである。
【００４３】
4．変形例
本発明は上述した実施例に限定されるものではなく、例えば以下のように種々の変形が可能である。
(1)上記各実施例においては、式（１）に示したように、オートセンドディマーが機能しているとき、あるフェーダゲインＦＬ（ｉ）に対応する実センドレベルＡＳＬ（ｉ，ｊ）は、仮センドレベルＶＳＬ（ｉ，ｊ）と閾値ＴＬ（ｉ，ｊ）とに基づいて決定された。従って、なんらかの事情により操作者が仮センドレベルＶＳＬ（ｉ，ｊ）を調節したとき、上記フェーダゲインＦＬ（ｉ）に対応する実センドレベルＡＳＬ（ｉ，ｊ）は、該調節を行う前の値とは当然異なるものになる。しかし、オートセンドディマーが機能しているとき、あるフェーダゲインＦＬ（ｉ）に対応する実センドレベルＡＳＬ（ｉ，ｊ）を、仮センドレベルＶＳＬ（ｉ，ｊ）にかかわらず一意に決定した方が好適である場合もある。かかる場合には、上記実施例を以下のように変形するとよい。
【００４４】
まず、センド設定画面３００において閾値設定部３２４−１〜３２４−１２は閾値ＴＬ（ｉ，ｊ）を直接的に設定するものではなく、定数ＫＬ（ｉ，ｊ）を設定するものとする。そして、ステップＳＰ１０，ＳＰ３４は「ＦＬ（ｉ）＋ＫＬ（ｉ，ｊ）≦ＶＳＬ（ｉ，ｊ）」が満たされるか否かを判定することとし、この条件が満たされたときに実行されるステップＳＰ１４，ＳＰ３８においては、下式（２）によって実センドレベルＡＳＬ（ｉ，ｊ）を決定するものとする。
ＡＳＬ（ｉ，ｊ）＝ＦＬ（ｉ）＋ＫＬ（ｉ，ｊ）[ｄＢ]  ……（２）
【００４５】
本変形例における各センドレベルとフェーダゲインＦＬとの関係を図８(b)に示す。図示のように、本変形例においては、オートセンドディマーが機能しているときの実センドレベルＡＳＬ（ｉ，ｊ）は、仮センドレベルＶＳＬ（ｉ，ｊ）の値に関係せず、「ＦＬ（ｉ）＋ＫＬ（ｉ，ｊ）」が成す直線に沿って決定される。本変形例においてオートセンドディマーが開始される閾値ＴＬ（ｉ，ｊ）は、「ＶＳＬ（ｉ，ｊ）−ＫＬ（ｉ，ｊ）」であって仮センドレベルＶＳＬ（ｉ，ｊ）および定数ＫＬ（ｉ，ｊ）に基づいて間接的に決定されるが、このように閾値ＴＬ（ｉ，ｊ）が間接的に決定される場合であっても閾値設定部３２４−１〜３２４−１２は「閾値を設定する閾値設定手段」に該当することは言うまでも無い。
【００４６】
(2)上記実施例においては、デジタルミキサ１において動作するプログラムによって実センドレベルＡＳＬ（ｉ，ｊ）の設定等を実行したが、このプログラムのみをＣＤ−ＲＯＭ、フレキシブルディスク等の記録媒体に格納して頒布し、あるいは伝送路を通じて頒布することもできる。
【００４７】
(3)上記実施例においては、デジタルミキサに本発明を適用した例を説明したが、減衰器やアンプによってアナログ音声信号のゲイン等を調節するアナログミキサに対して本発明を適用してもよいことは言うまでもない。この場合、センドレベル調節部１６４−１〜１６４−１２に対応する部分は、各々直列に接続された２個の減衰器によって構成するとよい。ここで、一方の減衰器は回転つまみの操作量に応じて、仮センドレベルＶＳＬ（ｉ，ｊ）に係る減衰量を与えるものとし、他方の減衰器は電動減衰器によって構成し、決定された実センドレベルＡＳＬ（ｉ，ｊ）と仮センドレベルＶＳＬ（ｉ，ｊ）との差に等しい減衰量を自動的に与えるものにするとよい。
【図面の簡単な説明】
【００４８】
【図１】本発明の一実施例のデジタルミキサ１のブロック図である。
【図２】デジタルミキサ１の操作パネルの要部の平面図である。
【図３】デジタルミキサ１のアルゴリズムの全体ブロック図である。
【図４】デジタルミキサ１のアルゴリズムの要部のブロック図である。
【図５】大型表示器１４に表示される各設定画面を示す図である。
【図６】センドレベル設定イベントルーチンのフローチャートである。
【図７】フェーダゲイン設定イベントルーチンのフローチャートである。
【図８】フェーダゲインとセンドレベルとの関係を示す図である。
【符号の説明】
【００４９】
１：デジタルミキサ、２：スイッチ群、４：電動フェーダ群、６：回転つまみ群、８：波形Ｉ／Ｏ部、１０：信号処理部、１２：バスライン、１４：大型表示器、１５：入力装置、１６：その他Ｉ／Ｏ部、１８：ＣＰＵ（処理装置）、２０：フラッシュメモリ、２２：ＲＡＭ、１０２：アナログ入力部、１０４：デジタル入力部、１０８：入力パッチ部、１１０：ステレオ入力チャンネル調整部、１１２：入力チャンネル調整部、１１６：ＭＩＸバス群、１１８：ステレオバス、１２０：ステレオ出力チャンネル部、１２２：ＭＩＸ出力チャンネル部、１２６：出力パッチ部、１２８：アナログ出力部、１３０：デジタル出力部、１５０：音質調整部、１５２：チャンネル遅延部、１５４：音量調整部、１５６：オンオフ切換部、１５８：ステレオセンドオンオフ切換部、１６０：ＰＡＮ設定部、１６２−１〜１６２−１２：信号切換部（選択手段）、１６４−１〜１６４−１２：センドレベル調節部、１６６−１〜１６６−１２：センドオンオフ切換部、１７２−Ｌ，Ｒ：音量調整部、１７４−Ｌ，Ｒ：オンオフ切換部、１８０，１８２：音量調整部、１８４：オンオフ切換部、１８６：チャンネル遅延部、２０４，２０６，２０８：レイヤ・キー、２４０−１〜２４０−１２：チャンネルストリップ、２４２−１〜２４２−１２：電動フェーダ（音量設定操作子）、２５０−１〜２５０−１２：回転つまみ、３００：センド設定画面、３０２：チャンネル表示部、３０４−１〜３０４−１２：オートセンドディマーモード表示部、３０６−１〜３０６−１２：センドレベル設定部、３０８−１〜３０８−１２：センドオン／オフボタン、３１０−１〜３１０−１２：フェードモード切換部（選択手段）、３２０：オートセンドディマー設定画面、３２２：チャンネル表示部、３２６−１〜３２６−１２：オートセンドディマー・オン／オフボタン、２４４−１：オン／オフ・キー、２４６−１：ソロ・キー、２４８−１：ＳＥＬキー、３２４−１〜３２４−１２：閾値設定部。
【図１】
2006211174.tif 000003
【図２】
2006211174.tif 000004
【図３】
2006211174.tif 000005
【図４】
2006211174.tif 000006
【図５】
2006211174.tif 000007
【図６】
2006211174.tif 000008
【図７】
2006211174.tif 000009
【図８】
2006211174.tif 000010